(57)【要約】【課題】  一側と他側と径が異なる釣具であってもこれを安定させて収納し、もって釣具の取出しがし易いポケットを有する釣り用衣服の提供。【解決手段】  釣り用衣服本体の前身頃に、釣具挿抜用の開口部側が幅広収納部とされ幅広収納部の奥側に連続して収納空間が幅広収納部より幅狭の幅狭収納部とされて開口部を開閉するための開閉手段を有するポケットが設けられ、幅広収納部と幅狭収納部とを連続する連続部に釣具の異径部分が係止可能とされている釣り用衣服の構成。【選択図】  図１
2008138339.tif 000002
【特許請求の範囲】
【請求項１】
釣り用衣服本体の前身頃に、釣具挿抜用の開口部側が幅広収納部とされ幅広収納部の奥側に連続した収納空間が幅広収納部より幅狭の幅狭収納部とされたポケットが設けられ、前記幅広収納部と幅狭収納部との接続部に、釣具をその小幅部側からポケットに挿入した際に釣具の大幅部が係止可能となる係止部を備えていることを特徴とする釣り用衣服。
【請求項２】
幅狭収納部は、幅広収納部の幅方向両側から均等に狭くされていることを特徴とする請求項１記載の釣り用衣服。
【請求項３】
係止部は幅広収納部から幅狭収納部に向けて次第に狭くなるよう傾斜して形成されていることを特徴とする請求項１または請求項２記載の釣り用衣服。
【請求項４】
開口部を開閉するための開閉手段を有し、該開閉手段は、開口部を中心にして回動することで開口部を開閉するフラップであり、フラップを開口閉止姿勢と開口開放姿勢とに切替え可能とし、しかも開口閉止姿勢に保持するための切替え手段が設けられていることを特徴とする請求項１ないし請求項３の何れかに記載の釣り用衣服。
【請求項５】
ポケットは前身頃とは別部材で袋状に形成されて、前身頃に縫着されていることを特徴とする請求項１ないし請求項４の何れかに記載の釣り用衣服。
【請求項６】
釣り用衣服本体は左右の前身頃を有し、左右の前身頃がそれぞれ表地と裏地とを有し、ポケットは少なくとも何れか一方の前身頃に設けられ、ポケットはその開口部を裏地に設けて幅広収納部および幅狭収納部が表地と裏地との間に挿入されていることを特徴とする請求項５記載の釣り用衣服。
【請求項７】
ポケットはその開口部が前身頃の上部に設けられ、且つポケットはその釣具挿入方向が左右方向外側へ向けて下方に傾斜するよう前身頃に設けられていることを特徴とする請求項５または請求項６に記載の釣り用衣服。
【請求項８】
ポケットの開口部は、釣り用衣服本体における身体の首部が挿通する衿部の領域の範囲を超えない領域に対応する部分に配置されていることを特徴とする請求項１ないし請求項６の何れかに記載の釣り用衣服。
【発明の詳細な説明】
【技術分野】
【０００１】
本発明は、例えば鮎釣りの際に着用される釣り用衣服、特にそのポケット構造に関する。
【背景技術】
【０００２】
従来、釣り用衣服に備えている仕掛け等の釣具を収納するポケットとして種々提案されている（例えば、特許文献１参照）。この種のポケットとしては、正面視して長方形あるいは台形の収納空間を有して、この収納空間内に釣具を収納するようにしている。
【特許文献１】特開２００１−６８４１８号公報
【発明の開示】
【発明が解決しようとする課題】
【０００３】
釣行に携行するタックル等の釣具は種々の形状のものが存在する。しかしながら、上記従来のポケットでは、釣具の形状に合致する収納空間を有するものではなく、釣具をポケットの収納空間に収納しても、釣人の動きに伴って該収納空間内で釣具が動いてしまい安定しにくいといえる。このような問題は、釣具として根掛かり外しのように、その一側の径が大きく（例えば環状）、一側の径に比べて他側の径が杆状のように小さいものでは特に顕著であり、ポケットの収納空間が一定の断面積であると、収納空間内に収納した釣具の姿勢が安定していないため、特に、取出し作業がしにくいという課題があった。
【０００４】
本発明は上記課題に鑑み、一側と他側とで幅が異なる釣具であってもこれを安定させて収納し、もって釣具の取出しがし易いポケットを有する釣り用衣服の提供を課題とする。
【課題を解決するための手段】
【０００５】
本発明の釣り用衣服は、釣り用衣服本体の前身頃に、釣具挿抜用の開口部側が幅広収納部とされ幅広収納部の奥側に連続した収納空間が幅広収納部より幅狭の幅狭収納部とされたポケットが設けられ、前記幅広収納部と幅狭収納部との接続部に、釣具をその小幅部側からポケットに挿入した際に釣具の大幅部が係止可能となる係止部を備えていることを特徴としている。
【０００６】
上記構成において、長さ方向一側と他側とで幅の異なる釣具をポケットに収納するには、釣具の一側である小幅部側から挿入すると、ポケットに収納しようとする釣具の小幅部が幅狭収納部に収納され、釣具の大幅部が幅広収納部に収納され、幅狭収納部の奥行と釣具の一側の長さの関係が、ほぼ同一あるいは一側の長さが幅狭収納部の奥行に比べて小さい場合には、釣具の大幅部が係止部に係止して、釣具がそれ以上ポケットの奥側に入らなくなり、釣人にその釣具が必要になってポケットから取出そうとする際には開口部を開放すると、釣具の他側である大幅部を手指で把持できるようになって釣具の把持がし易く、したがって釣具を取出し易い。
また、釣具の大幅部の幅と幅狭収納部の幅の関係によって、大幅部が幅狭収納部にはいったとしても、幅狭収納部の幅方向両側で釣具は抑えられるから、釣具がポケット内でその幅方向にブレる（姿勢が安定しない）という状態を抑制して、釣具の大幅部が開口部側に位置した状態が保持されるから、釣人はポケットの開口部からポケット内に手指を挿入することで、釣具を把持しやすく、ポケットから釣具を取出し易くなる。
【０００７】
本発明の釣り用衣服では、幅狭収納部は、幅広収納部の幅方向両側から均等に狭くされていることを特徴としている。この構成によれば、釣具の大幅部が幅広収納部に偏ることなく、したがって釣具の収納状態が安定する。
【０００８】
本発明の釣り用衣服では、係止部は幅広収納部から幅狭収納部に向けて次第に狭くなるよう傾斜して形成されていることを特徴としている。
この構成によれば、釣具の大幅部の外周形状が係止部の形状にフィットし易くなるから、釣具の姿勢がポケット内で安定する。
【０００９】
本発明の釣り用衣服では、開口部を開閉するための開閉手段を有し、該開閉手段は、開口部を中心にして回動することで開口部を開閉するフラップであり、フラップを開口閉止姿勢と開口開放姿勢とに切替え可能とし、しかも開口閉止姿勢に保持するための切替え手段が設けられていることを特徴としている。
この構成によれば、切替え手段によってフラップを開閉するという簡単な動作で、ポケットの開口部の開閉が行われる。
【００１０】
本発明の釣り用衣服では、ポケットは前身頃とは別部材で袋状に形成されて、前身頃に縫着されていることを特徴としている。
この構成によれば、袋状のポケットを前身頃に縫着することでポケットを前身頃に取付けられるようになるから、前身頃の生地を用いてポケットを形成する場合に比べて、ポケットの取付けが容易な作業となる。
【００１１】
本発明の釣り用衣服では、釣り用衣服本体は左右の前身頃を有し、左右の前身頃がそれぞれ表地と裏地とを有し、ポケットは少なくとも何れか一方の前身頃に設けられ、ポケットはその開口部を裏地に設けて幅広収納部および幅狭収納部が表地と裏地との間に挿入されていることを特徴としている。
上記構成のようにポケットが前身頃の表地と裏地との間にあることにより、釣り用衣服を着用して釣具をポケットに収納し移動等したとしても、ポケット自体が前身頃の表地および裏地との間にあることで、ポケットに釣具の重さが働いたとしてもポケット自体が安定して保持されることになるから、そこに収納された釣具の姿勢も安定し、ポケット自体が釣り動作に邪魔になりにくい。
【００１２】
本発明の釣り用衣服では、ポケットはその開口部が前身頃の上部に設けられ、且つポケットはその釣具挿入方向、すなわち深さ方向が左右方向外側へ向けて下方に傾斜するよう前身頃に設けられていることを特徴としている。
上記構成によれば、開口部が上方、あるいは斜め上方を向く構成となるから、釣人が動いたとしても、ポケットに収納した釣具がポケットから落ちにくくなる。
【００１３】
本発明の釣り用衣服では、ポケットの開口部は、釣り用衣服本体における身体の首部が挿通する衿部の領域の範囲を超えない領域に対応する部分に配置されていることを特徴としている。
この構成によれば、衿部から手指を挿入することで、開口部から手指を収納空間に挿入することができるから、釣具の取出し動作が楽である。
【００１４】
上記釣具としては、一側が杆状（伸縮自在なテレスコピック構造のものも含む）で他側が環状に形成された根掛り外し等が好適であり、ポケットの開口部側を幅広収納部とし、幅広収納部の奥側に連続した収納空間を幅広収納部より幅狭の幅狭収納部として釣具の一側である杆状の部分、すなわち小幅部を幅狭収納部に収納することにより、ポケット内での釣具の動きが安定し易くなり、釣具をポケットから取出す際にも釣具の他側、すなわち大幅部を釣人が手指で把持しやすく、したがって釣人は釣具をポケットから取出し易い。
【発明の効果】
【００１５】
本発明の釣り用衣服によれば、開口部側が幅広収納部とされ、幅広収納部の奥側に連続して収納空間が幅広収納部より幅狭の幅狭収納部とされているから、長さ方向一側と他側とで幅の異なる釣具をポケットに収納するには、釣具の一側である小幅部側から挿入すると、ポケットに収納しようとする釣具の小幅部が幅狭収納部に収納され、釣具の他側である大幅部側が幅広収納部に収納されることになり、釣人が移動すること等によって釣り用衣服が揺れたとしても釣具の姿勢を安定させることができ、釣人にその釣具が必要になってポケットから取出そうとする際には開口部を開放すると、釣具の大幅部を手指で把持できるようになって釣具の把持がし易く、したがって釣具を取出し易い。
【発明を実施するための最良の形態】
【００１６】
以下、本発明の実施形態を、鮎釣りの際に釣人が着用する鮎釣り用ベストを例に、図面に基づいて説明する。図１は本発明の実施形態を示す鮎釣り用ベストの正面図、図２は根掛り外しの単体斜視図、図３は左前身頃を開いてその裏地側を露出させた正面図、図４は根掛り外しを収納していない状態での図３におけるＹ−Ｙ線断面図、図５は根掛り外しを収納した状態での図３におけるＹ−Ｙ線断面図である。
【００１７】
これらの図に示すように、鮎釣り用ベスト１Ａ（以下単に「ベスト」という）は、ベスト本体１Ｂを構成する前身頃１と、この前身頃１の左右両端に連結される後身頃２とを備え、これら前身頃１および後身頃２を構成する生地の大部分を通気性のよいメッシュ状の生地から構成することによって、高い通気性を確保することができるようにしている。
【００１８】
前身頃１は、左前身頃３Ａと右前身頃３Ｂとからなり、前身頃１は表地２３と裏地１５とを有する。これら左前身頃３Ａおよび右前身頃３Ｂの左右方向中心部側端（合わせ部側端）に縫着した上下方向のベスト着脱用スライドファスナ４を開閉操作することで、身体（釣人）にベスト１Ａを着脱することができるようになっている。ベスト本体１Ｂは、身体の脇部を挿通する通し部５０が胴部５１と肩部５２との間に開口状に形成されている。また、ベスト着脱用スライドファスナ４を閉じた状態で、身体の首部が挿通する衿部５３が形成されている。
【００１９】
前身頃１のうちの左前身頃３Ａの上側部分に上ポケット（胸ポケット）５を備えるとともに、左前身頃３Ａの下側部分に下ポケット（胴ポケット）６を備えている。右前身頃３Ｂの上側部分に上ポケット（胸ポケット）７を備えるとともに、右前身頃３Ｂの下側部分に左右方向において隙間のない状態で併設される左右一対の下ポケット（胴ポケット）８，９を備えている。
【００２０】
前記ポケット５，６，７，８，９は、図の矢印で示すように上方から下方へ向かって後述するスライドファスナのスライダを、摘み部を持って移動操作することによって、ポケット５，６，７，８，９の開口を開放操作し、開放された状態のスライダを、摘み部を持って下方から上方へ移動操作することによって、ポケット５，６，７，８，９の開口を閉塞操作するようになっている。
なお、これらポケット５，６，７，８，９は、収納物として釣用小物（タックル等）を収納するのに有用である。
【００２１】
ポケット５およびポケット７は、具体的構成が同一で左右対称形状であるため、ここでは、左前身頃３Ａのポケット５の説明をもって右前身頃３Ｂのポケット７の説明を兼用する。
ポケット５の開口１０は、上方からの収納物の出し入れを可能にするべく、ベスト本体１Ｂの左右方向両端側から中心部に向かうほど下方に位置する傾斜開口となる第１開口部１０Ａと、この第１開口部１０Ａの下端に連続して形成され収納物を水平方向または斜め方向からの収納を可能とするべく下方に向かう縦向き開口となる第２開口部１０Ｂとから構成されている。なお、ポケット５の開口１０は一般的な構成を有するスライドファスナ１２によって開閉自在となっている。
【００２２】
左前身頃３Ａの下側部分に備えさせた下ポケット６について説明すれば、図１に示すように、下ポケット６の開口１９は、左右方向に伸びる水平開口となる第１開口部１９Ａと、この第１開口部１９Ａの左右方向中心部側端から下方に湾曲しながら向かう縦向き開口となる第２開口部１９Ｂとからなる。なお、下ポケット６の開口１９を閉じるための開閉自在な開閉手段として、スライドファスナ２１を備えている。
【００２３】
右前身頃３Ｂの下側部分に備えさせた左右一対のポケット部８，９は、それぞれの開口２５，２６が、左右方向に伸びるとともに上端に位置する横向きの第１開口部２５Ａ，２６Ａと、第１開口部２５Ａ，２６Ａにおける前身頃１の左右方向中央部側端からそれぞれ下方へ向かう縦向きの第２開口部２５Ｂ，２６Ｂとから構成されている。
ポケット部８，９は、その開口２５，２６を開閉自在とするスライドファスナ２２を備える。
【００２４】
図２に示すように、ベスト１Ａは、収納物として、タックル等釣用小物を収納するための、前記ポケット５，６，７，８，９とは別の、前身頃１（この場合、左前身頃３Ａ）の身側から用いる裏側ポケット５５，５６を有している。身側から用いるポケットとは、前身頃１の裏側に釣人が手指を挿入して用いるポケットであり、少なくともその開口が前身頃１の裏側に配置されているポケットである。
【００２５】
ここで、一方の裏側ポケット５５について説明する。先ず、この一方の裏側ポケット５５は、鮎釣りに携行される根掛り外し５７の収納に適したポケットである。但し、ここでは根掛り外し５７の収納の場合で説明するが、根掛り外し５７に限定される必要はないものとし、一方の裏側ポケット５５は、下記に述べる根掛り外し５７に似た形状の釣用小物であれば適用可能である。
根掛り外し５７には種々の形状があるが、図２に示すように、一般に根掛り外し５７は、一側が杆状のシャフト（小幅部に相当する）５８であり、他側がヘッド５９（この場合、略楕円の環状であり、大幅部に相当する）とされている点で共通する。すなわち、根掛り外し５７は一側の径（幅に相当する）に比べて他側の径が大きい形状に形成されている場合がほとんどである。なお、根掛り外し５７はステンレス等の金属で形成されていることが好ましい。
この実施形態では、根掛り外し５７はその杆状のシャフト５８はテレスコピック形式のものであって、その先端の、ヒンジＳ１を有する回動部Ｓを介してシャフト５８にヘッド５９が回動自在に取付けられている。なお、ヘッド５９は回動部Ｓに前方に所定高さ（例えば、シャフト６８の最大径の略半分の高さ）ｈを有する首杆部５９ａを介して連結されている。
【００２６】
図１および図３に示すように、一方の裏側ポケット（以下「根掛り外し用ポケット」という）５５は、ベスト本体１Ｂの前身頃１の、身体の胸に対応する部分に配設されている。根掛り外し用ポケット５５は、その収納部６１が左右幅Ｌ１の小さい一側部すなわち幅狭収納部６１ａと、幅狭収納部６１ａに比べて左右幅Ｌ２の大きい他側部すなわち幅広収納部６１ｂとを有して、中心線６３（その方向は、釣具挿入・取出し方向である）を中心に左右対称形状に形成されている。また、収納部６１は微細な目を形成する表裏側それぞれの網状体５５ａ，５５ｂの縁部を、後述の開口部６４を除いて縫着することで構成されており、特別な方向のみに伸縮するものではなく、自由な方向に伸縮（無方向に伸縮）できるようになっている。
また、根掛り外し用ポケット５５は、テープ体５５ｃを介して前身頃１の通し部５０側の端部に取付けられている。テープ体５５ｃの一端側は収納部６１の下部を構成する表側の網状体５５ａまたは裏側の網状体５５ｂの通し部５０側に縫着され、テープ体５５ｃの他端側は前身頃１において通し部５０側の端部に縫着されている。これによって上下方向Ｈに対する開口部６４（あるいは中心線６３）の傾斜角度θを所定の角度に保持した構成である。根掛り外し用ポケット５５に根掛り外し５７を装着した際に、根掛り外し用ポケット５５が膨らんでも通し部５０の縫着部分等に無理な力が働かないように、網状体５５ａまたは裏側の網状体５５ｂの通し部５０側と、前身頃１における通し部５０側の端部との間は所定量だけ離間させてある構成としている。
【００２７】
幅狭収納部６１ａと幅広収納部６１ｂとの中心線６３方向のそれぞれの長さＬ１Ａ，Ｌ２Ａは、使用される根掛り外し５７のシャフト５８、ヘッド５９の長さに応じて決定されることが好ましい。しかしながら、一般的に根掛り外し５７のサイズやシャフト５８、ヘッド５９の長さは種々あるので、長さＬ１Ａ，Ｌ２Ａは、一般的なサイズ・形状の根掛り外し５７に応じて設定することが好ましい。
【００２８】
収納部６１は他方側を開放して前記開口部６４とした袋状に形成されており、幅狭収納部６１ａから幅広収納部６１ｂに連続する連続部（係止部に相当する）６６は、次第にしかも左右均等に幅広となるよう傾斜して形成され、幅狭収納部６１ａと連続部６６との接続部および幅広収納部６１ｂと連続部６６との接続部は湾曲して弧状に形成されている。換言すれば、幅広収納部６１ｂの奥側に連続して収納空間が幅広収納部６１ｂより幅狭の幅狭収納部６１ａとされており、開口部６４側が幅広収納部６１ｂとなっている。なお連続部６６は、左右方向内方に凸となるように、あるいは直線状に形成されている。
後述するように、連続部６６は根掛り外し５７の異径部分、すなわちシャフト５８からヘッド５９へ移行する部分におけるヘッド５９の一部を係止可能とする機能を有する。
【００２９】
収納部６１は、前身頃１の表地２３と裏地１５との間に介装されており、しかもその開口部６４は、前身頃１の裏地１５においてその身ごろ面（表面）に沿って、左右方向中心部側端側に向けて下傾斜するよう形成されている。
さらに具体的に、図３に示すように、裏地１５にその身ごろ面に沿って、左右方向中心部側端側に下傾斜するよう切込み７０が形成されており、収納部６１は切込み７０と開口部６４とを共通にして収納部６１の上下の縁部７１，７２がともに裏地１５側に縫着されることで、収納部６１は前身頃１に一体化されている。特に、下の縁部７２は、後述するように、係止用縁として使用可能である。このため、下の縁部７２には後述する補強部６９が設けられている。
なお、切込み７０と開口部６４とはその左右幅をほぼ同一にしている。
【００３０】
根掛り外し用ポケット５５は、開口部６４（切込み７０）を開閉するための開閉手段を有する。この実施形態では、開閉手段を、開口部６４の近傍、すなわち開口部６４のやや上方に縫着されたフラップ７３としている。フラップ７３は、開口部６４の左右幅に比べてわずかに大きい幅の略矩形に形成されている。フラップ７３は、その上端辺部が、根掛り外し用ポケット５５の中心線６３と直交するよう裏地１５に縫着されている。
フラップ７３は縫着部７４を中心として回動自在となっており、フラップ７３を、縫着部７４を中心にして回動するよう降ろせば開口部６４を閉じた開口閉止姿勢となり、縫着部７４を中心に持上げるようにすれば開口部６４を開いた開口開放姿勢となる。
【００３１】
フラップ７３を開口閉止姿勢と開口開放姿勢とに切替え可能とし、しかも開口閉止姿勢に保持するための切替え手段が設けられている。切替え手段は、フラップ７３の裏側および開口部６４のわずかに下側に縫着ないし接着により固定された面ファスナ７５，７６から構成されている。すなわち面ファスナ７５，７６どうしの係合を外せばフラップ７３を開口開放姿勢とすることができ、面ファスナ７５，７６どうしを係合すれば、フラップ７３を開口閉止姿勢として、これを保持することができる。
面ファスナ７５，７６は、例えば正面視して矩形に形成されている。特にその上下方向長さＬ３はフラップ７３の開口閉止姿勢において、その下縁部７３ａが根掛り外し５７の長さによって中心線６３方向に位置ずれしても係止できるような長さに設定されている。要するに、フラップ７３の開口閉止姿勢において、その下縁部７３ａが根掛り外し５７の長さによって中心線６３方向に位置ずれしても係止できるような長さを有するものであれば、面ファスナ７５，７６の形状は特に限定されるものではない。
【００３２】
上下方向Ｈに対する開口部６４（あるいは中心線６３）の傾斜角度θは、着用者（釣人）が根掛り外し用ポケット５５に根掛り外し５７を挿抜し易い角度に設定することが好ましく、根掛り外し用ポケット５５の少なくとも開口部６４は、通常の前身頃１（この場合、右前身頃３Ｂ）に設けられるポケットの開口部（図の仮想線Ｐ１で示す）の傾斜に比べて、極めて緩やかな傾斜になるよう設定されている。
この実施形態では、根掛り外し用ポケット５５の開口部６４は、身体の首部が挿通する衿部５３の領域の範囲を超えない領域に対応する部分に配置されている。
なお、前記通常の前身頃１に設けられるポケットを、図３の仮想線Ｐとして示している。
【００３３】
他方の裏側ポケット５６は、前身頃１の裏地１５およびポケット形成用のメッシュ生地５６ａから袋状に形成されており、メッシュ生地５６ａの上端辺５６ｂは裏側ポケット５６の開口部６５を形成する、後述のスライドファスナ８０のテープに縫着され、その他の端辺５６ｃは前身頃１の裏地１５に縫着されて、図３の破線５６ｄで示す正面視形状の収納部６２を形成している。
この構成により、他方の裏側ポケット５６の収納部６２は、根掛り外し用ポケット５５の収納部６１に重ねられるように根掛り外し用ポケット５５の収納部６１に対して裏地１５側（身側）に配置されている状態にある。
【００３４】
他方の裏側ポケット５６の開口部６５には前記スライドファスナ８０のテープが縫着されて、スライドファスナ８０の開閉により、他方の裏側ポケット５６に釣具等を挿抜できるようになっている。なお、他方の裏側ポケット５６の開口部６５はスライドファスナ８０によって形成するようにしているが、スライドファスナ８０の代わりに面ファスナを用いてもよい。
他方の裏側ポケット５６の開口部６５の傾斜は、根掛り外し用ポケット５５の傾斜とほぼ同一に設定されている。
【００３５】
上記構成において、着用者である釣人は、その左右の腕を左右の各通し部５０に挿通して、ベスト着脱用スライドファスナ４を閉じることでベスト１Ａを身体に着用するものである。
【００３６】
各図では、シャフト５８を最短に収容した状態として、根掛り外し用ポケット５５の収納部６１に収納された状態を示している。図３〜図５では、シャフト５８の下端部５８ａは収納部６１のうち、幅狭収納部６１ａの底６１ｃに至っており、環状のヘッド５９の外周下部５９ａが、連続部６６に係止している状態であり、根掛り外し用ポケット５５が収納部６１にしっくり収まった状態である。
また、フラップ７３は、面ファスナ７５，７６どうしがほぼ全面で対向して係合することで開口閉止姿勢となっている。換言すれば、根掛り外し５７の長さが根掛り外し用ポケット５５の収納部６１の長さ（Ｌ１Ａ＋Ｌ２Ａ）と同等である（あるいは短い場合もある）ので、根掛り外し用ポケット５５が収納部６１にしっくり収まって、面ファスナ７５，７６どうしをほぼ全面で対向して係合させることができる。
【００３７】
上記のように根掛り外し用ポケット５５の収納部６１に収納されている根掛り外し５７は、そのシャフト５８が幅狭の幅狭収納部６１ａにあるから、着用者が動いてもシャフト５８の動きは幅狭収納部６１ａによって制限されることになる。また、根掛り外し用ポケット５５は斜め下方に傾斜しており、このため根掛り外し５７はその重さ自体（金属）で斜め下方への力を受けているから、ヘッド５９の外周下部５９ａが、連続部６６に係止した状態が解除されにくい。さらに、根掛り外し用ポケット５５の収納部６１は、表地２３と裏地１５との間に介装されており、着用者がベスト１Ａを身体に着用していることで、身体（例えば胸部）によって表地２３側に押圧され易い状態となっている。
これらの要因によって、着用者が釣り動作をしたとしても、根掛り外し５７は根掛り外し用ポケット５５の収納部６１内でその姿勢や、上下方向位置を保持させることができる。また、仮に着用者の姿勢によって根掛り外し５７が開口部６４側へ移動したとしても、フラップ７３は、面ファスナ７５，７６どうしが係合することで開口部６４を閉止する開口閉止姿勢となっているから、根掛り外し５７は開口部６４から不測に飛び出すようなことはない。
【００３８】
また、根掛り外し用ポケット５５の収納部６１は、表地２３と裏地１５との間に介装されていることから、根掛り外し５７は、着用者の身に少なくとも裏地１５および収納部６１の生地を介して接触するようになるから、根掛り外し５７がステンレスのような硬質の材料でであっても、違和感がほとんどない状態でベスト１Ａを着用することができる。
根掛り外し用ポケット５５の収納部６１は、表地２３と裏地１５との間に介装されていることから、例えば着用者が俯くような姿勢をとったとしても、根掛り外し用ポケット５５の収納部６１自体がその重さで不安定になることもない。
根掛り外し用ポケット５５は、その収納部６１を予め袋状に形成し表地２３と裏地１５との間に介装するようにしてベスト本体１Ｂに取付けるようにしているから、根掛り外し用ポケット５５を表地２３または裏地１５を用いて形成する場合に比べて、その製造（取付け）が容易である。
【００３９】
根掛り外し５７が必要になり、これを使用しようとする際には、面ファスナ７５，７６どうしの係合を外すようにして、フラップ７３を開口閉止姿勢から開口開放姿勢とし、着用者は開口部６４から手指を収納部６１（幅広収納部６１ｂ）に挿入し、根掛り外し５７のヘッド５９を探るようにする。このとき、上述したように根掛り外し５７は根掛り外し用ポケット５５の収納部６１内でその姿勢や、上下方向位置を保持した状態にあるから、着用者は開口部６４から手指を収納部６１（幅広収納部６１ｂ）に挿入し、根掛り外し５７のヘッド５９を探るようにすれば、直ちに手指が根掛り外し５７（ヘッド５９）に触れて、手指で根掛り外し５７を把持してこれを引出すようにすれば、根掛り外し５７を極めて容易に根掛り外し用ポケット５５から取出し、使用することができる。
【００４０】
さらに、根掛り外し用ポケット５５は、ベスト本体１Ｂの前身頃１の、身体の胸に対応する部分に配設されて、根掛り外し用ポケット５５の開口部６４は、身体の首部が挿通する衿部５３の領域の範囲を超えない領域に対応する部分に配置してあるから、ベスト着脱用スライドファスナ４を閉じた状態のままであっても、衿部５３から手指を挿入することで、開口部６４から手指を収納部６１に挿入することができるから、根掛り外し５７の取出し動作が非常に少なくて済むので、楽である。
このことは、根掛り外し５７を使用し終えて、再び根掛り外し用ポケット５５に収納する場合にもいえる。
【００４１】
ところで、根掛り外し５７の長さによっては、根掛り外し用ポケット５５の収納部６１に収まりきらない場合がある。例えば、図６に示すように、根掛り外し５７のヘッド５９を折畳んだ状態で、シャフト５８の下端部５８ａが幅狭収納部６１ａの底６１ｃに至っており、しかも回動部Ｓあるいは回動部Ｓを含んでシャフト５８の一部が開口部６４から根掛り外し用ポケット５５の外部に突出してしまうような状態である。
しかしながら、このような場合でもシャフト５８は幅狭収納部６１ａに挿入されるから、根掛り外し５７の移動は左右方向で抑えられる。しかも面ファスナ７５，７６は、その上下方向長さＬ３どうしがフラップ７３の開口閉止姿勢において、その下縁部７３ａが根掛り外し５７の長さによって中心線６３方向に位置ずれしても係止できるような長さに設定されているから、フラップ７３を開口閉止姿勢とすべく回動部Ｓを覆うように途中から折畳むようにしても、面ファスナ７５，７６の一部どうしが係合することでフラップ７３の開口閉止姿勢が保持でき、この場合、特に、ヘッド５９の動きを抑制することができる。
【００４２】
さらにこの実施形態における根掛り外し用ポケット５５では、前記補強部６９を有する。この補強部６９は、裏地１５と裏側の網状体５５ｂとの上端部との間に、該裏地１５および裏側の網状体５５ｂとは別の補強生地６９ａを折曲げて二重構造して挟持させ、且つ裏地１５、補強生地６９ａおよび裏側の網状体５５ａどうしを縫着した構成である。
この補強部６９を利用するようにした場合を、図７の正面図および図８の断面図に示す。これらの図では、根掛り外し用ポケット５５は、便宜上上下方向に沿うよう描いているが、図１および図３に示したように傾斜しているものとする。これらの図に示す根掛り外し用ポケット５５の使用方法は、根掛り外し５７のシャフト５８を根掛り外し用ポケット５５の収納部６１に収納するとともに、ヘッド５９を折り畳んで首杆部５９ａを補強部６９に上方から係止するようにして首杆部５９ａを根掛り外し用ポケット５５の前面に重ねるようにしている。
そして、面ファスナ７５，７６どうしを合わせるようにして、フラップ７３を開口閉止姿勢とする。このとき、ヘッド５９は環状であるので、その内側に面ファスナ７５，７６が入り込むので、ヘッド５９が根掛り外し用ポケット５５の前面（根掛り外し用ポケット５５の外部）にあったとしても、フラップ７３の開閉を邪魔することはない。
【００４３】
上記のように、裏地１５の切込み７０部分の縁部７２には、補強生地６９ａを折曲げて二重構造して挟持させ、裏地１５、補強生地６９ａおよび裏側の網状体５５ａどうしを縫着した補強部６９を設けているから、この補強部６９を係止用縁として用いても、根掛り外し５７をしっかり保持することができる。
【００４４】
図９および図１０に、根掛り外し５７を装着した状態での別の実施形態の根掛り外し用ポケット５５の正面図を示す。図９に示す根掛り外し用ポケット５５は、幅狭収納部６１ａ、幅広収納部６１ｂおよびこれらを連続する連続部６６を有しており、幅狭収納部６１ａは幅広収納部６１ｂから左右均等に左右幅が狭くなっているが、連続部６６は、湾曲することなく中心線６３と直交する方向に急縮した形状である。
なお、この図の実施形態では、根掛り外し５７を根掛り外し用ポケット５５の収納部６１に収納すると、ヘッド５９の外周下部が連続部６６と幅狭収納部６１ａとの境界部分に係止するようになる。他の構成は、図１ないし図８に示した実施形態と同様であるので、その説明を省略する。そして、この構成の根掛り外し用ポケット５５においても、根掛り外し５７が根掛り外し用ポケット５５内で安定し、取出し易い。
【００４５】
図１０に示す根掛り外し用ポケット５５は、幅狭収納部６１ａ、幅広収納部６１ｂおよびこれらを連続する連続部６６を有しているが、幅広収納部６１ｂから左右均等に左右幅が狭くなっているものではなく、連続部６６が左右方向一方側にのみ形成された構成となっている。この連続部６６は実線Ｒで示すように、湾曲することなく中心線６３と直交する方向に急縮した形状でもよいし、あるいは仮想線Ｄで示すように、左右方向内方に凸となるよう湾曲した形状であってもよい。何れにしても、図１０の実施形態では、連続部６６が左右方向一方側にのみ形成されることにより、幅狭収納部６１ａが幅広収納部６１ｂに対して一方側に偏って配置された構成となる。
この構成の根掛り外し用ポケット５５では、根掛り外し５７を根掛り外し用ポケット５５の収納部６１に収納すると、根掛り外し５７は中心線６３に沿うことなく傾斜することになるものの、シャフト５８が幅狭収納部６１ａに収納されることによれば、根掛り外し５７を根掛り外し用ポケット５５の収納部６１内で安定させることができる。
【図面の簡単な説明】
【００４６】
【図１】本発明の実施形態を示す鮎釣り用ベストの正面図
【図２】同じく根掛り外しの単体斜視図
【図３】同じく左前身頃を開いてその裏地側を露出させた正面図
【図４】同じく根掛り外しを収納していない状態での図３におけるＹ−Ｙ線断面図
【図５】同じく根掛り外しを収納した状態での図３におけるＹ−Ｙ線断面図
【図６】同じく根掛り外しの収納状態の一例を示す正面図
【図７】同じく根掛り外しの別の収納状態を示す正面図
【図８】同じく図７の収納状態における断面図
【図９】別の実施形態を示す根掛り外し用ポケットにおける根掛り外しを収納した状態の正面図
【図１０】さらに別の実施形態を示す根掛り外し用ポケットにおける根掛り外しを収納した状態の正面図
【符号の説明】
【００４７】
１…前身頃、１Ａ…ベスト、１Ｂ…ベスト本体、４…ベスト着脱用スライドファスナ、１５…裏地、２３…表地、５３…衿部、５５…根掛り外し用ポケット、５７…根掛り外し、５８…シャフト、５８ａ…下端部、５９…ヘッド、５９ａ…外周下部、６１…収納部、６１ａ…幅狭収納部、６１ｂ…幅広収納部、６１ｃ…幅狭収納部の底、６３…中心線、６４…開口部、６６…連続部、７０…切込み、７１…切込みの縁部、７３…フラップ、７５，７６…面ファスナ、ＬＡ１…幅狭収納部の長さ
【図１】
2008138339.tif 000003
【図２】
2008138339.tif 000004
【図３】
2008138339.tif 000005
【図４】
2008138339.tif 000006
【図５】
2008138339.tif 000007
【図６】
2008138339.tif 000008
【図７】
2008138339.tif 000009
【図８】
2008138339.tif 000010
【図９】
2008138339.tif 000011
【図１０】
2008138339.tif 000012